(57)【要約】【課題】動画ファイルに複数のオーディオトラックが存在する場合に、予め用意されたメニュー画面が無くとも、その旨をユーザに通知することができる再生装置を得る。【解決手段】検出部１０９は、動画ファイルのヘッダの解析情報を用いて、当該動画ファイルに複数のオーディオトラックが存在するか否かを検出する。そして複数のオーディオトラックが存在する場合、通知部１１０は、その旨を示すビデオ信号及びオーディオ信号を出力し、ビデオ出力部２０１及びオーディオ出力部２０２を介して複数のオーディオトラックが存在することをユーザに通知する。【選択図】図１
2016139853.tif 000002
【特許請求の範囲】
【請求項１】
複数のオーディオトラックを格納可能な動画ファイルの解析情報を用いて、前記動画ファイルに複数のオーディオトラックが存在するか否かを検出する検出部と、
前記検出部により複数のオーディオトラックが検出された場合に、前記動画ファイルに複数のオーディオトラックが存在することを通知する信号を出力する通知部とを備えることを特徴とする再生装置。
【請求項２】
前記通知部は、前記動画ファイルに複数のオーディオトラックが存在することを示すビデオ信号を出力することを特徴とする請求項１記載の再生装置。
【請求項３】
前記通知部は、前記動画ファイルに複数のオーディオトラックが存在することを示すオーディオ信号を出力することを特徴とする請求項１または請求項２記載の再生装置。
【請求項４】
前記通知部は、前記信号を設定時間出力することを特徴とする請求項１から請求項３のうちのいずれか１項記載の再生装置。
【請求項５】
前記通知部は、前記信号を出力してから、ユーザ操作に基づき、オーディオトラックを選択させるためのビデオ信号を出力することを特徴とする請求項１から請求項４のうちのいずれか１項記載の再生装置。
【請求項６】
検出部が、複数のオーディオトラックを格納可能な動画ファイルの解析情報を用いて、前記動画ファイルに複数のオーディオトラックが存在するか否かを検出し、
通知部が、前記検出部により複数のオーディオトラックが検出された場合に、前記動画ファイルの再生前または再生中に前記動画ファイルに複数のオーディオトラックが存在することを通知する信号を出力する再生方法。
【発明の詳細な説明】
【技術分野】
【０００１】
この発明は、動画ファイルの再生を行う再生装置及び再生方法に関するものである。
【背景技術】
【０００２】
動画ファイルには、複数のオーディオトラックが存在するものがあり、ユーザの嗜好に合わせてトラックの選択が可能になっている。このような複数のオーディオトラックが存在する動画ファイルとしては、日本語音声を主音声、外国語音声を副音声として有するもの、また、主音声と当該主音声に対応した解説音声である副音声とを有するもの等が挙げられる。
【０００３】
映画等が収録された市販のＤＶＤ（Ｄｉｇｉｔａｌ  Ｖｅｒｓａｔｉｌｅ  Ｄｉｓｃ）、ＢＤ（Ｂｌｕ−ｒａｙ  Ｄｉｓｃ；登録商標）等には、再生時にチャプタサーチ、字幕及びオーディオ設定、特典映像再生等をユーザが選択可能なメニュー画面が、ディスク作成者によって作成され組み込まれている。このようなディスクの再生時、ユーザはこの予め用意されたメニュー画面を介して、オーディオトラックを選択することができる。
一方で、インターネットを介してユーザが入手する動画ファイル等、オーディオトラックの選択が可能なメニュー画面を持たない動画ファイルが無数に存在している。このような動画ファイルの再生時には、たとえ当該動画ファイルに複数のオーディオトラックが存在していようとも、通常の場合いずれかのトラックが再生装置により自動的に選択されて再生される。これでは、ユーザの嗜好にあった他のオーディオトラックが存在していたとしてもユーザは気付くことができず、ユーザの利便性が損なわれてしまう。
【０００４】
このような中、例えば特許文献１には、予め用意されたメニュー画面が無くとも、ディスク再生時にメニュー画面を作成する技術が開示されている。
【先行技術文献】
【特許文献】
【０００５】
【特許文献１】国際公開第２００７／０１３５８７号
【発明の概要】
【発明が解決しようとする課題】
【０００６】
しかしながら、上記特許文献１の技術では、メニュー画面を介してユーザが知り得る対象はディスク内の動画ファイルだけである。また、ディスクに予め特定のプログラムを書き込むことが前提となる。
従って、上記のような１つの動画ファイル内のオーディオトラックの選択に使える技術ではない。
【０００７】
この発明は、上記のような課題を解決するためになされたもので、動画ファイルに複数のオーディオトラックが存在する場合に、予め用意されたメニュー画面が無くとも、その旨をユーザに通知することができる再生装置を得ることを目的とする。
【課題を解決するための手段】
【０００８】
この発明に係る再生装置は、複数のオーディオトラックを格納可能な動画ファイルの解析情報を用いて、動画ファイルに複数のオーディオトラックが存在するか否かを検出する検出部と、検出部により複数のオーディオトラックが検出された場合に、動画ファイルに複数のオーディオトラックが存在することを通知する信号を出力する通知部とを備えることを特徴とするものである。
【発明の効果】
【０００９】
この発明によれば、予め用意されたメニュー画面が無くとも、動画ファイルに複数のオーディオトラックが存在することを、ユーザに通知することができる。
【図面の簡単な説明】
【００１０】
【図１】この発明の実施の形態１に係る再生装置の構成例を示すブロック図である。
【図２】この発明の実施の形態１に係る再生装置のハードウェア構成例を示す図である。
【図３】この発明の実施の形態１に係る再生装置の処理を示すフローチャートである。
【図４】この発明の実施の形態１においてビデオ出力部で表示される画面例である。
【図５】この発明の実施の形態１においてビデオ出力部で表示される画面例である。
【発明を実施するための形態】
【００１１】
実施の形態１．
図１に、この発明の実施の形態１に係る再生装置１の構成を示す。
再生装置１は、動画ファイルを再生する装置であり、信号処理部１０と、入出力部２０と、内部メモリ３０とを有する。
信号処理部１０は、メモリ読取部１０１と、ヘッダ情報解析部１０２と、データ分離部１０３と、ビデオデコーダ１０４と、ビデオオーバレイ部１０５と、オーディオトラック選択部１０６と、オーディオデコーダ１０７と、オーディオスイッチ１０８と、検出部１０９と、通知部１１０とを有する。
また、入出力部２０は、ビデオ出力部２０１と、オーディオ出力部２０２と、入力部２０３とを有する。
【００１２】
メモリ読取部１０１は、外部メモリ２及び内部メモリ３０から、動画ファイルを読み取る。外部メモリ２は、再生装置１と電気的に接続されている。また、不図示ではあるが、インターネット等のネットワークを介して、外部から動画ファイルを読み取ることも可能に構成されている。
ヘッダ情報解析部１０２は、メモリ読取部１０１が読み取った動画ファイルのヘッダ情報を解析し、解析結果を解析情報として、動画ファイルとともにデータ分離部１０３に出力し、また、当該解析情報を検出部１０９に出力する。
データ分離部１０３は、ヘッダ情報解析部１０２による解析情報を用いて、ヘッダ情報解析部１０２を介して入力される動画ファイルに格納されたビデオデータとオーディオデータを分離する。オーディオデータは、動画ファイルにおいて、一対一に対応するオーディオトラックとして格納及び管理されている。
【００１３】
ビデオデコーダ１０４は、データ分離部１０３が分離したビデオデータをデコードし、ビデオ信号として出力する。
ビデオオーバレイ部１０５は、ビデオデコーダ１０４からのビデオ信号を、ビデオ出力部２０１に出力する。また、ビデオオーバレイ部１０５は、通知部１１０から第１の通知用ビデオ信号又は第２の通知用ビデオ信号が入力されたときに、ビデオ信号に第１の通知用ビデオ信号又は第２の通知用ビデオ信号をオーバレイして出力する。
【００１４】
オーディオトラック選択部１０６は、データ分離部１０３が分離したオーディオデータの中からオーディオデコーダ１０７に出力するオーディオデータを選択する。
オーディオデコーダ１０７は、オーディオトラック選択部１０６が選択して出力したオーディオデータをデコードし、オーディオスイッチ１０８にオーディオ信号として出力する。
オーディオスイッチ１０８は、オーディオデコーダ１０７からのオーディオ信号を、オーディオ出力部２０２に出力する。また、オーディオスイッチ１０８は、通知部１１０から通知用オーディオ信号が入力されたときに、当該通知用オーディオ信号をオーディオ出力部２０２に出力する。なおこのとき、オーディオスイッチ１０８は、オーディオ出力部２０２への出力をオーディオ信号から通知用オーディオ信号に切り替えてもよいし、あるいは、オーディオ信号に通知用オーディオ信号をオーバレイして出力してもよい。
【００１５】
検出部１０９は、ヘッダ情報解析部１０２による解析情報を用いて、メモリ読取部１０１が読み取った動画ファイルに格納されているオーディオトラックの数を検出する。
通知部１１０は、検出部１０９が検出したオーディオトラック数が複数である場合に、第１の通知用ビデオ信号及び通知用オーディオ信号をそれぞれビデオオーバレイ部１０５とオーディオスイッチ１０８に出力する。また、通知部１１０は、入力部２０３から入力されるユーザ操作の内容を判定し、第２の通知用ビデオ信号を必要に応じて出力する。
【００１６】
信号処理部１０は、再生装置１のハードウェア構成例である図２に示すように、内部メモリ３０に記憶されたプログラムをＳｏＣ（Ｓｙｓｔｅｍ  ｏｎ  ａ  Ｃｈｉｐ）３が実行することにより、実現される。また、複数のプロセッサ及び複数のメモリが連携して信号処理部１０の機能を実行してもよい。
ビデオ出力部２０１は、例えば液晶ディスプレイであり、オーディオ出力部２０２は、例えばスピーカである。また、入力部２０３は、タッチディスプレイをビデオ出力部２０１と共に一体的に構成するタッチパネル、リモコン等である。
外部メモリ２及び内部メモリ３０は、ハードディスク等の各種メモリで構成される。
【００１７】
次に、上記のように構成された再生装置１による処理について説明する。
動画ファイルの再生に際し、再生装置１は、再生可能な動画ファイルの一覧をビデオ出力部２０１にて表示する。そして、ユーザが、入力部２０３を介して再生を希望する動画ファイルを指定すると、メモリ読取部１０１は、指定された動画ファイルを外部メモリ２、内部メモリ３０、又は、ネットワーク等から読み取る。以下では、動画ファイルがＭＰ４ファイルである場合を例に説明する。ＭＰ４ファイルでは、Ｈ．２６４等の形式のビデオデータとＡＡＣ（Ａｄｖａｎｃｅｄ  Ａｕｄｉｏ  Ｃｏｄｉｎｇ）等の形式のオーディオデータとが同じコンテナ内に格納され、更にオーディオデータは複数格納することができる。なお、複数のオーディオトラックが提供できるように、複数のオーディオデータをそれぞれオーディオトラックとしてコンテナに格納可能なファイル形式の動画ファイルであれば、例えばコンテナフォーマットがＭａｔｒｏｓｋａ形式の動画ファイル等、ＭＰ４以外の動画ファイルであっても構わない。
【００１８】
続いて、ヘッダ情報解析部１０２が、メモリ読取部１０１が読み取った動画ファイルのヘッダ情報を解析する。
続いて、データ分離部１０３が、ヘッダ情報解析部１０２による解析情報を用いて、メモリ読取部１０１が読み取ってヘッダ情報解析部１０２を介して入力された動画ファイルに格納されたビデオデータとオーディオデータとを、分離する。
【００１９】
続いて、ビデオデコーダ１０４が、データ分離部１０３が分離したビデオデータをデコードし、ビデオ信号として出力する。
また、オーディオトラック選択部１０６が、データ分離部１０３が分離したオーディオデータの中からいずれか１つのオーディオデータを選択し、オーディオデコーダ１０７に出力する。ある動画ファイルがユーザにより再生対象として指定された際の最初の動作としては、オーディオトラックが複数あろうと無かろうと、予め定められたアルゴリズムに従い自動的にいずれか１つのトラックに対応したオーディオデータをオーディオトラック選択部１０６は選択する。例えば、トラック番号が一番小さいオーディオデータを選択する。また、後述するように複数のオーディオトラックが存在した場合には、後にユーザ操作に基づく操作信号に従って、オーディオデータの選択を行う。
出力されたオーディオデータは、オーディオデコーダ１０７にてデコードされ、オーディオ信号として出力される。
【００２０】
続いて、ビデオオーバレイ部１０５を介してビデオ出力部２０１にビデオ信号が入力されて、ユーザに対する映像表示が行われる。
また、オーディオスイッチ１０８を介してオーディオ出力部２０２にオーディオ信号が入力されて、ユーザに対する音声の提供が行われる。
以上のようにして動画ファイルが再生される。
【００２１】
ここで、再生装置１によるオーディオトラック情報の通知に関する処理を、図３に示すフローチャートを用いて説明する。
ヘッダ情報解析部１０２が再生対象の動画ファイルのヘッダ情報を解析すると、その解析情報を用いて、検出部１０９が、当該動画ファイルに格納されているオーディオトラックが複数存在するかを検出する（ステップＳＴ１）。具体的には、ＭＰ４ファイルの場合、動画ファイルのヘッダ情報が格納されたｍｏｏｖと呼ばれるコンテナ内を解析した情報を用いて検出を行う。ｍｏｏｖには、動画ファイルに格納されているオーディオトラックに関する情報を格納したｔｒａｋと呼ばれるボックスが含まれており、ｍｏｏｖの解析情報を参照することで、オーディオトラック数を検出する。
【００２２】
オーディオトラック数が１である場合（ステップＳＴ１；ＮＯ）、その１つのオーディオトラックの再生が継続され、後述する通知部１１０による通知処理等は行われない。
【００２３】
一方、オーディオトラックが複数存在する場合（ステップＳＴ１；ＹＥＳ）、解析情報に基づくオーディオトラック数と各オーディオトラックを識別可能なトラック名等の情報が、検出部１０９から通知部１１０に出力される。これを受けて通知部１１０は、オーディオトラックが複数存在することを示す第１の通知用ビデオ信号を作成し、ビデオオーバレイ部１０５に出力する。また、通知部１１０は、オーディオトラックが複数存在することを示す通知用オーディオ信号を作成し、オーディオスイッチ１０８に出力する（ステップＳＴ２）。
【００２４】
これにより、ビデオオーバレイ部１０５にてビデオ信号に第１の通知用ビデオ信号がオーバレイされ、ビデオ出力部２０１にて、再生中の動画ファイル内の映像にオーディオトラックが複数存在することを示す第１のアイコンが重畳表示され、ユーザに通知される。図４は、このときにビデオ出力部２０１で表示される画面例である。再生中の映像に、第１のアイコンＡが重畳表示されている。
また、オーディオスイッチ１０８にてオーディオ出力部２０２への出力がオーディオ信号から通知用オーディオ信号に切り替えられる。あるいは、オーディオスイッチ１０８にてオーディオ信号に通知用オーディオ信号がオーバレイされる。これにより、オーディオ出力部２０２から、オーディオトラックが複数存在する旨の音声が出力され、ユーザに通知される。なお、通知用オーディオ信号は、第１の設定時間の間に通知部１１０から周期的に繰り返し出力されるようにしてもよい。
【００２５】
続いて、通知部１１０が、第１の通知用ビデオ信号及び通知用オーディオ信号を出力してから第１の設定時間内に第１のアイコンを選択するユーザ操作が行われるかを判定する（ステップＳＴ３）。この判定は、入力部２０３から通知部１１０へ入力される操作信号を用いて行われる。
第１のアイコンを選択するユーザ操作が第１の設定時間内に行われなかった場合（ステップＳＴ３；ＮＯ）、通知部１１０は、第１の通知用ビデオ信号の出力を停止する（ステップＳＴ４）。これにより、ビデオ出力部２０１での第１のアイコンの表示が消え、オーディオトラック選択部１０６により自動的に選択されたオーディオトラックの再生が継続される。なお、通知用オーディオ信号を１回だけでなく第１の設定時間の間に周期的に繰り返し出力する設定になっている場合は、通知用オーディオ信号の出力も停止する。
【００２６】
一方、第１の設定時間内に第１のアイコンを選択するユーザ操作が行われると（ステップＳＴ３；ＹＥＳ）、通知部１１０は、選択可能な複数のオーディオトラックと、当該複数のオーディオトラックのうちのどのトラックが再生中であるかを示す第２の通知用ビデオ信号を作成し、ビデオオーバレイ部１０５に出力する（ステップＳＴ５）。選択可能な複数のオーディオトラックは、ステップＳＴ２で検出部１０９から入力されたオーディオトラック数と各オーディオトラックを識別可能なトラック名等の情報から抽出する。再生中のトラックは、例えばトラック番号が一番小さいトラック等、オーディオトラック選択部１０６が自動的に選択することになっているトラックであると認識される。
【００２７】
これにより、ビデオオーバレイ部１０５にてビデオ信号に第２の通知用ビデオ信号がオーバレイされ、ビデオ出力部２０１にて、再生中の動画ファイル内の映像にオーディオトラックの一覧と再生中のオーディオトラックを示したオーディオトラック選択用の第２のアイコンが重畳表示され、ユーザに通知される。図５は、このときにビデオ出力部２０１で表示される画面例である。再生中の映像に、選択を促すメッセージＢ１、オーディオトラックの一覧Ｂ２、再生中のオーディオトラックを示す矢印Ｂ３等からなる第２のアイコンＢが重畳表示されている。なお、矢印Ｂ３に限らず、オーディオトラックの一覧Ｂ２において、オーディオトラックの表示色を再生中のものとそれ以外のものとで変えるなどして、再生中のオーディオトラックをユーザが認知できるようにしてもよい。
【００２８】
続いて、通知部１１０が、第２の通知用ビデオ信号を出力してから第２の設定時間内に再生中以外のオーディオトラックを選択するユーザ操作が行われるかを判定する（ステップＳＴ６）。この判定は、入力部２０３から通知部１１０へ入力される操作信号を用いて行われる。
再生中以外のオーディオトラックを選択するユーザ操作が第２の設定時間内に行われなかった場合（ステップＳＴ６；ＮＯ）、通知部１１０は、第２の通知用ビデオ信号の出力を停止する（ステップＳＴ７）。これにより、ビデオ出力部２０１での第２のアイコンの表示が消え、再生中のオーディオトラックがそのまま継続して再生される。
【００２９】
一方、第２の設定時間内に再生中以外のオーディオトラックを選択するユーザ操作が行われると（ステップＳＴ６；ＹＥＳ）、ステップＳＴ５の処理に戻る。オーディオトラックの選択を受けて、オーディオトラック選択部１０６が、選択されたオーディオトラックに対応するオーディオデータを選択してオーディオデコーダ１０７に出力することで、選択されたオーディオトラックが再生される。このとき、再生中のシーンからオーディオトラックを切り替えてもよいし、一番最初のシーンに巻き戻ってオーディオトラックを切り替えてもよい。また、このような切り替え動作のうちのいずれを選択するかを、ユーザが設定可能なように構成してもよい。ステップＳＴ５の処理に戻って通知部１１０が作成する第２の通知用ビデオ信号は、複数のオーディオトラックと、ステップＳＴ６で選択されたと判定されたオーディオトラック、つまり切り替わって再生中のオーディオトラックを示す信号である。
以上のような通知処理が行われる。
【００３０】
なお、上記では、通知部１１０が第１の通知用ビデオ信号及び通知用オーディオ信号を出力することで、オーディオトラックが複数存在することを視覚的及び聴覚的にユーザに通知できるようにした。しかしながら、オーディオトラックが複数存在することをユーザが認知できればよく、第１の通知用ビデオ信号と通知用オーディオ信号のうちのいずれか一方のみを通知部１１０が出力するようにしてもよい。通知用オーディオ信号だけを通知部１１０が出力する場合、第１のアイコンを選択する代わりに入力部２０３であるタッチパネルの任意の箇所に触れたり、リモコンの特定のボタンを押したりすることで第２のアイコンが表示されるようにしてもよい。または、ユーザが入力部２０３を操作して再生装置１の設定画面を表示させ、この設定画面を介してオーディオトラックを選択し切り替えるようにしてもよい。
【００３１】
また、動画ファイルのレジューム再生が行われる度に、通知部１１０が第１の通知用ビデオ信号又は通知用オーディオ信号を出力するようにしてもよい。このようにすることで、ユーザはオーディオトラックが複数存在することをレジューム再生の度に知ることができ、ユーザの利便性が向上する。
【００３２】
また、上記では、ユーザによって再生対象の動画ファイルが選択されると、まず当該動画ファイル内の映像の画面表示及びオーディオトラックの音声出力による再生が始まり、当該再生が行われている最中に、オーディオトラックが複数存在することをユーザに通知する構成を示した。しかしながら、上記再生が始まる前に、オーディオトラックが複数存在することをユーザに通知するようにしてもよい。つまり、例えば、検出部１０９が複数のオーディオトラックを検出した場合、通知部１１０による第１の通知用ビデオ信号又は通知用オーディオ信号の出力を待って、ビデオデコーダ１０４及びオーディオデコーダ１０７がビデオ信号及びオーディオ信号を出力する。このように、ユーザが視聴しようとしている動画ファイルにオーディオトラックが複数存在することを予め通知することで、動画ファイル内の一番最初のシーンからユーザ好みのオーディオトラックを再生することが可能になる。なおこの場合、オーディオトラックが複数存在すると通知してもユーザが特に操作を行わないのであれば、設定時間経過後にオーディオトラック番号が一番小さいオーディオトラックを再生するようにしてもよい。また、動画ファイル内の映像の画面表示及びオーディオトラックの音声出力が始まったタイミングで、前述の通知処理と同様にオーディオトラックが複数存在することを再びユーザに通知して、ユーザへの通知が確実に行われるようにしてもよい。
【００３３】
また、第１のアイコン及び第２のアイコンが設定時間経過後に消えるのではなく、常時これらのアイコンを表示するようにしてもよい。このようにすることで、ユーザは任意のタイミングで容易にオーディオトラックを選択して切り替えることができる。またこの場合、第１のアイコン及び第２のアイコンの表示を閉じるためのボタン等をユーザが操作することで、これらのアイコンを消せるように構成するとよい。このようにすれば、動画ファイルの映像にアイコンが被さり邪魔な場合に、アイコンを消すことが可能になる。
【００３４】
また、上記では、第１のアイコンを選択した後に第２のアイコンが表示されることとした。しかしながら、第１のアイコンに替えて当初から第２のアイコンが表示されるようにしてもよい。このようにしても、オーディオトラックが複数存在することをユーザに通知することができ、また、ユーザは即座にオーディオトラックの選択操作を行うことができる。
【００３５】
また、上記では、動画ファイルのオーディオトラック数が１である場合（ステップＳＴ１；ＮＯ）、その旨は特にユーザに通知しないこととした。つまり、ユーザに何ら通知をしないことで、オーディオトラックが１つしか存在しないことを暗に認知させていた。しかし、この場合、再生装置１を初めて使うユーザ等は、オーディオトラックが１つしか存在しないということを理解できずに、他のオーディオトラックが無いかを手動で無駄に確認してしまう可能性がある。こうした事態を避けるため、オーディオトラックが１つしか存在しない旨を示す通知用ビデオ信号又は通知用オーディオ信号が、通知部１１０から出力されるようにしてもよい。
【００３６】
以上のように、この実施の形態１に係る再生装置１によれば、ヘッダの解析情報を用いて、動画ファイルのオーディオトラック数が複数であるかを検出部１０９が検出し、複数である場合には、通知部１１０がその旨を示す信号を出力することとした。従って、予め用意されたメニュー画面が無くとも、動画ファイルに複数のオーディオトラックが存在することをユーザは認知することが可能になり、ユーザの利便性が向上する。
【００３７】
また、通知部１１０は、動画ファイルに複数のオーディオトラックが存在することを示す第１の通知用ビデオ信号を出力することとした。従って、外部からの騒音等で再生装置１からの出力音声が聞き取りにくい場合でも、ユーザは、オーディオトラックが複数存在することを認知できる。
【００３８】
また、通知部１１０は、動画ファイルに複数のオーディオトラックが存在することを示す通知用オーディオ信号を出力することとした。従って、再生装置１の画面から目をそらしていた場合でも、ユーザは、オーディオトラックが複数存在することを認知できる。
【００３９】
また、通知部１１０は、動画ファイルに複数のオーディオトラックが存在することを示す信号を、設定時間出力することとした。従って、ユーザがオーディオトラックの切り替えを望まないときに、表示された第１のアイコンを消去する操作をわざわざ行う必要が無く、ユーザの利便性が向上する。
【００４０】
また、通知部１１０は、動画ファイルに複数のオーディオトラックが存在することを示す信号を出力してから、ユーザ操作に基づき、オーディオトラックを選択させるための第２の通知用ビデオ信号を出力することとした。従って、ユーザは、オーディオトラックの選択操作を容易に行うことができる。
【００４１】
なお、本願発明はその発明の範囲内において、実施の形態の任意の構成要素の変形、もしくは実施の形態の任意の構成要素の省略が可能である。
【符号の説明】
【００４２】
１  再生装置、２  外部メモリ、３  ＳｏＣ、１０  信号処理部、２０  入出力部、３０  内部メモリ、１０１  メモリ読取部、１０２  ヘッダ情報解析部、１０３  データ分離部、１０４  ビデオデコーダ、１０５  ビデオオーバレイ部、１０６  オーディオトラック選択部、１０７  オーディオデコーダ、１０８  オーディオスイッチ、１０９  検出部、１１０  通知部、２０１  ビデオ出力部、２０２  オーディオ出力部、２０３  入力部。
【図１】
2016139853.tif 000003
【図２】
2016139853.tif 000004
【図３】
2016139853.tif 000005
【図４】
2016139853.tif 000006
【図５】
2016139853.tif 000007